(57)【要約】本発明によれば、視聴者のホームショッピングチャンネルに対する視聴履歴を用いて特定視聴者に適合したホームショッピングコンテンツを動的に選択して提供することができる。特に本発明によって、定義された返送率を基に産出された関心指数を用いて各々の受信機に対して商品分類グループを指定し、商品分類グループを用いてホームショッピングコンテンツを動的に選択して提供することができるため、より多数の視聴者が関心のあるホームショッピングコンテンツを提供することができる。
2021508192.tif 000002
【特許請求の範囲】
【請求項１】
一つ以上のプロセッサと、一つ以上のメモリと、前記一つ以上のメモリに保存され、前記一つ以上のプロセッサにより実行されるよう構成される一つ以上のプログラムとを有し、
前記一つ以上のプログラムは、
ホームショッピングチャンネルを受信して提供する第１受信機〜第ｎ受信機（但し、ｎは２以上の自然数）から受信した前記ホームショッピングチャンネルに対する視聴履歴を基に、予め指定された第１商品分類〜第ｋ商品分類（但し、ｋは２以上の自然数）を有する商品分類基準の中から、前記第１受信機に対する商品分類グループ、乃至前記第ｎ受信機に対する商品分類グループを各々抽出する第１インストラクションと、
放送編成表に従って、予め指定された時間帯域に前記ホームショッピングチャンネルを通じて提供可能な基本商品に対する基本コンテンツを指定する第２インストラクションと、
複数のコンテンツのうち、前記予め指定された時間帯域に前記ホームショッピングチャンネルを通じて提供可能な第１商品に対する第１個人向けコンテンツを動的に選択しつつ、前記第１受信機に対する商品分類グループ、乃至前記第ｎ受信機に対する商品分類グループの中から、前記基本商品の商品分類および前記第１商品の商品分類の少なくとも一つを有する個数が最大になるように、前記第１個人向けコンテンツを動的に選択する第３インストラクションと、
を有する個人向けホームショッピング放送システム。
【請求項２】
前記一つ以上のプログラムは、
前記基本コンテンツおよび前記第１個人向けコンテンツを全て前記第１受信機〜前記第ｎ受信機へ伝送する第１伝送モード、前記第１受信機に対する商品分類グループ、乃至前記第ｎ受信機に対する商品分類グループを基に前記基本コンテンツおよび前記第１個人向けコンテンツのうち、前記第１受信機〜前記第ｎ受信機へ各々伝送するコンテンツを選択して、前記第１受信機〜前記第ｎ受信機へ各々伝送する第２伝送モード、および前記第１受信機〜前記第ｎ受信機の少なくとも一つの受信機からの要請に従って、前記基本コンテンツおよび前記第１個人向けコンテンツのいずれか一つを前記少なくとも一つの受信機へ伝送する第３伝送モードのいずれか一つを行う第４インストラクション
をさらに有する請求項１に記載の個人向けホームショッピング放送システム。
【請求項３】
前記第２伝送モードは、
前記第１受信機〜前記第ｎ受信機のうち第ｉ受信機（但し、ｉは１以上、ｎ以下の自然数）に対する商品分類グループが前記基本商品の商品分類を含まず、前記第１商品の商品分類を含めば、前記第１個人向けコンテンツを前記第ｉ受信機へ伝送し、その他の場合、前記基本コンテンツを前記第ｉ受信機へ伝送する請求項２に記載の個人向けホームショッピング放送システム。
【請求項４】
前記基本商品と前記第１商品は、前記第１商品分類〜前記第ｋ商品分類のうち互いに異なる商品分類基準に属する請求項１に記載の個人向けホームショッピング放送システム。
【請求項５】
前記一つ以上のプログラムは、
前記予め指定された時間帯域に前記ホームショッピングチャンネルを通じて提供可能な第２商品に対する第２個人向けコンテンツ、乃至第ｍ商品に対する第ｍ個人向けコンテンツ（但し、ｍは２以上の自然数）を動的に選択しつつ、前記第１受信機に対する商品分類グループ、乃至前記第ｎ受信機に対する商品分類グループの中から、前記第１商品の商品分類、前記第２商品の商品分類〜前記第ｍ商品に対する商品分類および前記基本商品の商品分類の少なくとも一つを有する個数が最大になるように、前記第２個人向けコンテンツ〜前記第ｍ個人向けコンテンツを動的に選択する第５インストラクション
をさらに有する請求項１に記載の個人向けホームショッピング放送システム。
【請求項６】
前記一つ以上のプログラムは、
前記第１個人向けコンテンツ、前記第２個人向けコンテンツ〜前記第ｍ個人向けコンテンツおよび前記基本コンテンツを全て前記第１受信機〜前記第ｎ受信機へ伝送する第４伝送モード、前記第１受信機に対する商品分類グループ、乃至前記第ｎ受信機に対する商品分類グループを基に前記第１個人向けコンテンツ、前記第２個人向けコンテンツ〜前記第ｍ個人向けコンテンツおよび前記基本コンテンツのうち、前記第１受信機〜前記第ｎ受信機へ各々伝送するコンテンツを選択して、前記第１受信機〜前記第ｎ受信機へ各々伝送する第５伝送モード、および前記第１受信機〜前記第ｎ受信機の少なくとも一つの受信機からの要請に従って、前記第１個人向けコンテンツ、前記第２個人向けコンテンツ〜前記第ｍ個人向けコンテンツおよび前記基本コンテンツのいずれか一つを前記少なくとも一つの受信機へ伝送する第６伝送モードのいずれか一つを行う第６インストラクション
をさらに有する請求項５に記載の個人向けホームショッピング放送システム。
【請求項７】
前記第５伝送モードは、
前記第１受信機〜前記第ｎ受信機のうち第ｉ受信機（但し、ｉは１以上、ｎ以下の自然数）に対する商品分類グループが、
前記基本商品の商品分類を含まず、前記第１商品の商品分類を含めば、前記第１コンテンツを前記第ｉ受信機へ伝送し、
前記基本商品の商品分類を含まず、前記第１商品の商品分類〜第ｐ−１商品（但し、ｐは２以上ｍ以下の自然数）の商品分類を含まず、第ｐ商品分類を含めば、第ｐ個人向けコンテンツを前記第ｉ受信機へ伝送し、
その他の場合、前記基本コンテンツを前記第ｉ受信機へ伝送する請求項６に記載の個人向けホームショッピング放送システム。
【請求項８】
前記基本商品と前記第１商品と前記第２商品〜前記第ｍ商品は、前記第１商品分類〜前記第ｋ商品分類のうち互いに異なる商品分類基準に属する請求項５に記載の個人向けホームショッピング放送システム。
【請求項９】
前記視聴履歴は、前記第１受信機から受信された第１視聴履歴、乃至前記第ｎ受信機から受信された第ｎ視聴履歴を有し、
前記第１インストラクションは、
第ｉ視聴履歴（但し、ｉは１以上、ｎ以下の自然数）を分析し、予め指定された期間中、前記第１商品分類に属する商品が前記第１受信機〜前記第ｎ受信機のうち第ｉ受信機よりユーザ入力を基に前記ホームショッピングチャンネルが選択された時点から、前記ホームショッピングチャンネルを通じて第ｉ受信機から第１閾値以上提供された第１基準回数、乃至前記第ｋ商品分類に属する商品が前記第ｉ受信機よりユーザ入力を基に前記ホームショッピングチャンネルが選択された時点から、前記ホームショッピングチャンネルを通じて前記第ｉ受信機から前記第１閾値以上提供された第ｋ基準回数を決定し、前記予め指定された期間中、前記第１商品分類に属する商品が前記第ｉ受信機よりユーザ入力を基に前記ホームショッピングチャンネルが選択された時点から、前記ホームショッピングチャンネルを通じて前記第ｉ受信機から前記第１閾値以上で第閾値以下の時間の間提供された第１返送回数、乃至前記第ｋ商品分類に属する商品が前記第ｉ受信機よりユーザ入力を基に前記ホームショッピングチャンネルが選択された時点から、前記ホームショッピングチャンネルを通じて前記第ｉ受信機から前記第１閾値以上で前記第２閾値以下の時間の間提供された第ｋ返送回数を各々決定する第１サブインストラクションと、
前記第１返送回数対前記第１基準回数の割合である前記第１商品分類に対する第１返送率、乃至前記第ｋ返送回数対前記第ｋ基準回数の割合である前記第ｋ商品分類に対する第ｋ返送率を各々決定する第２サブインストラクションと、
前記第ｉ視聴履歴を分析し、前記予め指定された期間中、前記第ｉ受信機から前記ホームショッピングチャンネルを通じて前記第１商品分類に属する商品が提供された第１平均視聴時間、乃至前記予め指定された期間中、前記第ｉ受信機から前記ホームショッピングチャンネルを通じて前記第ｋ商品分類に属する商品が提供された第ｋ平均視聴時間を各々算出する第３サブインストラクションと、
前記第１平均時間および前記第１返送率を基に抽出された前記第１商品分類に対する関心指数、乃至前記第ｋ返送率を基に抽出された前記第ｋ商品分類に対する関心指数を予め指定された閾値と比較して、前記第１商品分類〜前記第ｋ商品分類のうち前記閾値以上の関心指数を持つ商品分類を前記第ｉ受信機に対する商品分類グループに指定する第４サブインストラクションと、
を有する請求項１に記載の個人向けホームショッピング放送システム。
【請求項１０】
第ｊ商品分類（但し、ｊは１以上ｋ以下の自然数）に対する関心指数は、
第１加重値と正規化された第ｊ平均視聴時間を乗じた値から、第２加重値と正規化された第ｊ返送率を乗じた値を減算したものである請求項９に記載の個人向けホームショッピング放送システム。
【請求項１１】
前記第１加重値と前記第２加重値は正数であり、前記第１加重値と前記第２加重値の合計は１である請求項１０に記載の個人向けホームショッピング放送システム。
【請求項１２】
前記第３インストラクションは、
前記第１商品分類に対する平均売上額情報、乃至前記第ｋ商品分類に対する平均売上額情報を基に、前記第１受信機に対する予想売上額、乃至前記第ｎ受信機に対する予想売上額の合計が最大になるように、前記第１個人向けコンテンツを選択する第５サブインストラクション
を有する請求項１に記載の個人向けホームショッピング放送システム。
【請求項１３】
第ｉ受信機（但し、ｉは１以上、ｎ以下の自然数）に対する予想売上額は、前記第ｉ受信機に対する商品分類グループが前記基本商品の商品分類を含まず、前記第１商品の商品分類を含めば、前記第１商品の商品分類に対する平均売上額に決定され、前記第ｉ受信機に対する商品分類グループが前記第１商品の商品分類を含まなければ前記基本商品の商品分類に対する平均売上額に決定される請求項１２に記載の個人向けホームショッピング放送システム。
【請求項１４】
前記第５インストラクションは、前記第１商品分類に対する平均売上額情報、乃至前記第ｋ商品分類に対する平均売上額情報を基に、前記第１受信機に対する予想売上額、乃至前記第ｎ受信機に対する予想売上額の合計が最大になるように、前記第２個人向けコンテンツ〜前記第ｍ個人向けコンテンツを選択する第６サブインストラクション
を有する請求項５に記載の個人向けホームショッピング放送システム。
【請求項１５】
第ｉ受信機（但し、ｉは１以上、ｎ以下の自然数）に対する予想売上額は、
前記第ｉ受信機に対する商品分類グループが前記基本商品の商品分類を含まず、前記第１商品の商品分類を含めば、前記第１商品の商品分類に対する平均売上額に決定され、前記第ｉ受信機に対する商品分類グループが前記基本商品の商品分類を含まず、前記第１商品の商品分類〜第ｐ−１商品（但し、ｐは２以上ｍ以下の自然数）の商品分類を含まず、第ｐ商品分類を含めば、前記第ｐ商品の商品分類に対する平均売上額に決定され、その他の場合、前記基本商品の商品分類に対する平均売上額に決定され、
前記第１受信機に対する商品分類グループ、乃至前記第ｎ受信機に対する商品分類グループのうち、前記第ｐ−１商品の商品分類を含む商品分類グループの個数が前記第ｐ商品の商品分類を含む商品分類グループの個数より大きい請求項１４に記載の個人向けホームショッピング放送システム。
【請求項１６】
前記一つ以上のプログラムは、
前記第１受信機〜前記第ｎ受信機へ、前記第１受信機に対する商品分類グループに対する識別情報、乃至前記第ｎ受信機に対する商品分類グループに対する識別情報を各々伝送する第７インストラクション
をさらに有する請求項１に記載の個人向けホームショッピング放送システム。
【請求項１７】
前記ｎは、前記ホームショッピングチャンネルを受信して提供可能な受信機のうち、予め指定された受信機の個数および前記ホームショッピングチャンネルを受信して提供可能な受信機の全体個数のいずれか一つである請求項１に記載の個人向けホームショッピング放送システム。
【請求項１８】
前記第１受信機に対する商品分類グループ、乃至前記第ｎ受信機に対する商品分類グループは、前記第１商品分類〜前記第ｋ商品分類のうち一つ以上を含む請求項１に記載の個人向けホームショッピング放送システム。
【発明の詳細な説明】
【技術分野】
【０００１】
本発明は、個人向けホームショッピング放送システムに関する。
【背景技術】
【０００２】
通信技術およびコンピューティング技術の発展に伴い、放送サービスも早期に発展している。一方、放送サービスの効率性を評価する目的として、放送サービスの視聴率が測定される。例えば、放送サービス提供者は、放送サービスを視聴する視聴者の放送サービス満足度などの品質を把握するための基準として視聴率を使用することができ、広告主は放送サービスに広告を出す場合、広告効果を判断するための基準として視聴率を使用することができる。
【０００３】
視聴率は、例えば、地域、年齢、性別および学歴別に等しく分布された標本集団を選定した後、標本集団に提供された放送サービスに対する視聴形態情報を収集することによって測定される。
【０００４】
しかし、従来の視聴率を測定する方式は、標本集団に対して測定されるため、実際の視聴率とは差異がある。また、視聴率を測定するために複雑な方式を用いるため、標本集団に対する視聴率さえ正確に測定することができない短所もある。
【０００５】
これを改善するために、例えば、韓国電子通信研究所にて２０１２年８月１７日付で出願、２０１７年６月２２日付で登録された「視聴形態認識基盤の視聴率および広告効果分析方法およびシステム」という名称の韓国登録特許第１０−１７５１７０８号（特許文献１）は、視聴者を撮影した映像の入力を受けて、これを基に視聴者認識情報を生成した後、これを基に視聴形態情報を生成することによって、より正確に標本集団の視聴率を測定する構成を開示している。
【０００６】
しかし、登録特許第１０−１７５１７０８号に開示されている方式もまた、視聴率を測定するためには、予め視聴者を登録するなどの複雑な方式をそのまま用いている。
【０００７】
一方、返送率は、一般的にウェブサイトの接続者がウェブサイトに接続したものの、サイト内で他のページに接続したり、情報を得ずにそのまま離脱したりする割合を指す。より具体的には、返送率は、例えばウェブサイトが開始ページ、および開始ページにリンクされる下位階層ページを備えている場合、接続者が開始ページに接続したものの、下位階層ページへ接続せずに離脱する割合を指す。返送率が高いということは、接続者がウェブサイトに接続しても、製品を購入するような行動につながる可能性が低いことを意味し、返送率が低いということは接続者が製品を購入するような行動につながる可能性が高いことを意味する。従って、返送率は、特にインターネットのウェブサイトを評価するための基準として使用され得る。
【０００８】
しかし、返送率は、特にウェブページなどのインターネットサービスにおいて適用される基準として、放送サービスにおいては適用されないという短所がある。即ち、放送サービスはウェブページとは異なり、コンテンツが連続的に提供される方法を採っているため開始ページが存在せず、同様に下位階層ページも存在しない。従って、放送サービスにおいては、インターネットサービスに適用される返送率をそのまま適用することができない。
【０００９】
一方、一般的にホームショッピングは、様々な商品またはサービスを購入するために、放送ネットワークまたは通信ネットワークを通じて提供するサービスを指す。ホームショッピングは、例えば放送ネットワークを用いる場合、ホームショッピング事業者が予め指定されたチャンネルを通じて視聴者の受信機へ商品に対するホームショッピングコンテンツを伝送し、視聴者がホームショッピングコンテンツを視聴して当該商品を購入する方式を用いて具現される。
【００１０】
ホームショッピングに用いられる放送方式は、デジタル放送またはアナログ放送であり、受信機は例えばホームショッピングコンテンツを受信して提供するテレビ、セットトップボックス、パーソナルコンピュータおよびコンピューティング機能を備えた移動通信端末（即ち、スマートフォン）などの装置を有することができる。
【００１１】
視聴者は、例えば受信機に表示される決済インターフェースまたは電話注文などの方式を用いて、ホームショッピングコンテンツを通じて放送される商品を購入することができる。
【００１２】
しかし、従来のホームショッピングは、下記のような短所がある。
【００１３】
ホームショッピング事業者は、放送編成表に従って、ホームショッピングコンテンツを多数の視聴者に一括的に伝送している。即ち、既存のホームショッピングコンテンツは、ブロードキャスト形態で、全ての視聴者を対象に提供される。従って、特定グループの視聴者および特定視聴者などの限定された対象のためのホームショッピングコンテンツを提供することは不可能であるという短所がある。
【００１４】
また、放送編成表に従って、予め指定されたホームショッピングコンテンツが一括で多数の視聴者に伝送されるため、視聴者は所望の商品を購入するために、当該商品を販売するホームショッピングコンテンツが放送されるまで、待たなければならないという問題点がある。
【００１５】
一方、（株）ＣＪＯショッピングが２０１２年７月５日付で出願し、２０１４年１月１６日付で公開された「オンライン−ホームショッピング連動販売システムおよびサーバ」という名称の韓国公開特許第１０−２０１４−０００６３８３号（特許文献２）は、ホームショッピングとオンラインショッピングとの連動を通じて、視聴者に適合した商品をホームショッピングチャンネルを通じて販売する方法を開示している。しかし、韓国公開特許第１０−２０１４−０００６３８３号に開示されている方法もまた、オンラインサーバから受信した販売商品の情報を基に、ホームショッピングチャンネルを通じて販売する商品を選定することしか開示されていない。従って、韓国公開特許第１０−２０１４−０００６３８３号に開示されている方法は、たとえより多くの視聴者に適合した商品を選択して放送することができるという効果があるとしても、上述した従来技術の問題点をそのまま有している。
【先行技術文献】
【特許文献】
【００１６】
【特許文献１】韓国登録特許第１０−１７５１７０８号
【特許文献２】韓国公開特許第１０−２０１４−０００６３８３号
【発明の概要】
【発明が解決しようとする課題】
【００１７】
本発明の目的は、視聴者のホームショッピングチャンネルに対する視聴履歴を用いて、特定視聴者に適合したホームショッピングコンテンツを動的に選択して提供可能な個人向けホームショッピング放送システムを提供することにある。
【課題を解決するための手段】
【００１８】
前記技術的課題を達成するために、本発明は、一つ以上のプロセッサと、一つ以上のメモリと、前記一つ以上のメモリに保存され、前記一つ以上のプロセッサにより実行されるよう構成される一つ以上のプログラムとを有し、前記一つ以上のプログラムは、ホームショッピングチャンネルを受信して提供する第１受信機〜第ｎ受信機（但し、ｎは２以上の自然数）から受信した前記ホームショッピングチャンネルに対する視聴履歴を基に、予め指定された第１商品分類〜第ｋ商品分類（但し、ｋは２以上の自然数）を有する商品分類基準の中から、前記第１受信機に対する商品分類グループ、乃至前記第ｎ受信機に対する商品分類グループを各々抽出する第１インストラクションと、放送編成表に従って、予め指定された時間帯域に前記ホームショッピングチャンネルを通じて提供可能な基本商品に対する基本コンテンツを指定する第２インストラクションと、複数のコンテンツのうち、前記予め指定された時間帯域に前記ホームショッピングチャンネルを通じて提供可能な第１商品に対する第１個人向けコンテンツを動的に選択しつつ、前記第１受信機に対する商品分類グループ、乃至前記第ｎ受信機に対する商品分類グループの中から、前記基本商品の商品分類および前記第１商品の商品分類の少なくとも一つを有する個数が最大になるように、前記第１個人向けコンテンツを動的に選択する第３インストラクションと、を有する個人向けホームショッピング放送システムを提供する。
【発明の効果】
【００１９】
本発明によれば、視聴者のホームショッピングチャンネルに対する視聴履歴を用いて、特定視聴者に適合したホームショッピングコンテンツを動的に選択して提供することができる。特に、本発明によって、定義された返送率を基に産出された関心指数を用いて各々の受信機に対して商品分類グループを指定し、商品分類グループを用いてホームショッピングコンテンツを動的に選択して提供することができるため、より多数の視聴者の関心のあるホームショッピングコンテンツを提供することができる。
【図面の簡単な説明】
【００２０】
【図１】本発明に係る個人向けホームショッピング放送システムの例示的な構成を示すブロック図である。
【図２】本発明に係る個人向けホームショッピング放送システムが実行されるシステム環境を示す図面である。
【図３】本発明に係る個人向けホームショッピング放送システムが保存および実行を行うプログラムの例示的なブロック図である。
【図４】本発明に係る個人向けホームショッピング放送システムで使用されるホームショッピングチャンネルに対する視聴履歴を例示的に示す図面である。
【図５】本発明に係る個人向けホームショッピング放送システムで使用される商品分類基準を例示的に示す図面である。
【図６】本発明に係る個人向けホームショッピング放送システムにより抽出された受信機に対する商品分類グループを例示的に示す図面である。
【図７】本発明に係る個人向けホームショッピング放送システムにおいて、受信機より個人向けコンテンツを選択する状態を例示的に示す図面である。
【図８】本発明に係る個人向けホームショッピング放送システムにより、受信機に対する個人向けコンテンツを選択して、伝送する状態を例示的に示す図面である。
【図９】本発明に係る個人向けホームショッピング放送システムにより、受信機の要請に従って、個人向けコンテンツを伝送する状態を例示的に示す図面である。
【発明を実施するための形態】
【００２１】
以下、本発明に係る個人向けホームショッピング放送システムの実施例を、添付した図面を参照しながら、より具体的に説明する。一方、本発明の実施例を説明するための図面において、説明の便宜上、実際の構成のうち一部のみを図示したり、一部を省略して図示したり、変形して図示したり、または縮尺が異なるように図示することがある。
【００２２】
＜第一の実施例＞
図１は、本発明に係る個人向けホームショッピング放送システムの例示的な構成を示すブロック図である。
【００２３】
図１を参照すれば、本発明に係る個人向けホームショッピング放送システム１００は、一つ以上のプロセッサ１１０と、一つ以上のメモリ１３０と、一つ以上のメモリ１３０に保存され、一つ以上のプロセッサ１１０により実行されるよう構成される一つ以上のプログラム１５０とを有する。
【００２４】
一つ以上のプロセッサ１１０は、一つ以上のメモリ１３０に保存された一つ以上のプログラム１５０を読み取って実行する。一つ以上のプロセッサ１１０は、例えば、ｘ個（但し、ｘは自然数）として図示されているが、例えば１個でありまたは複数個でもある。即ち、一つのプロセッサを用いて個人向けホームショッピング放送システム１００の機能を実行することもでき、または複数個のプロセッサが連動して個人向けホームショッピング放送システム１００の機能を実行することもできる。例えば、第１プロセッサが演算機能を実行し、第２プロセッサが通信機能を実行する方式を用いて、個人向けホームショッピング放送システム１００の機能を実行することもできる。
【００２５】
一つ以上のメモリ１３０は、プログラム１５０を保存する。一つ以上のメモリ１３０は、例えば、記録および読み取り可能な非揮発性メモリ、または揮発性メモリなどの記録媒体である。一つ以上のメモリ１３０は、１個として図示されているが、複数個でもある。
【００２６】
一つ以上のプログラム１５０は、例えばｙ個（但し、ｙは自然数）として図示されているが、例えば１個であり、または複数個でもある。即ち、一つのプログラムを用いて個人向けホームショッピング放送システム１００の機能を実現することもでき、または複数個のプログラムが連動して個人向けホームショッピング放送システム１００の機能を実現することもできる。例えば、第１プログラムが演算機能を実現し、第２プログラムが通信機能を実現する方式で、個人向けホームショッピング放送システム１００の機能を実現することもできる。
【００２７】
以下、一つ以上のプロセッサ１１０、一つ以上のメモリ１３０および一つ以上のプログラム１５０は、各々「プロセッサ１１０」、「メモリ１３０」および「プログラム１５０」と称する。
【００２８】
図２は、本発明に係る個人向けホームショッピング放送システムが実行されるシステム環境を示す図面である。
【００２９】
図２を参照すれば、本発明に係る個人向けホームショッピング放送システムが実行されるシステム環境は、個人向けホームショッピング放送システム１００と、第１受信機２００−１〜第ｎ受信機２００−ｎとを有する（但し、ｎは２以上の自然数）。
【００３０】
個人向けホームショッピング放送システム１００は、放送ネットワークまたは通信ネットワークを通じてコンテンツ（以下、ホームショッピングコンテンツともいう）を第１受信機２００−１〜第ｎ受信機２００−ｎへ伝送する。個人向けホームショッピング放送システム１００は、複数のホームショッピングコンテンツを第１受信機２００−１〜第ｎ受信機２００−ｎへ提供することもできる。特に、個人向けホームショッピング放送システム１００は、編成表に従って、指定された基本コンテンツおよび複数のコンテンツのうち、選択された第１個人向けコンテンツおよび第２個人向けコンテンツの少なくとも一つを第１受信機２００−１〜第ｎ受信機２００−ｎへ提供することもできる。
【００３１】
第１受信機２００−１〜第ｎ受信機２００−ｎは、例えば、デジタル放送を受信して提供するセットトップボックス、テレビ、パーソナルコンピュータおよびコンピューティング機能を備えた移動通信端末のいずれか一つである。本願明細書における「デジタル放送」は、デジタル地上波放送、デジタルケーブル放送、デジタル衛星放送、ＤＭＢ放送、ＩＰ−ＴＶ、ＯＴＴ（Ｏｖｅｒ Ｔｈｅ Ｔｏｐ）およびＶＯＤ放送などの形態の放送サービスを指す。望ましくは、第１受信機２００−１〜第ｎ受信機２００−ｎは、例えば、ＩＰ−ＴＶのように双方向通信が可能であり、個人向けホームショッピング放送システム１００とデータを送受信するよう構成されている。ｎは、ホームショッピングチャンネルを受信して提供可能な受信機の全体個数、および、ホームショッピングチャンネルを受信して提供可能な受信機のうち予め指定された受信機の個数のいずれか一つである。
【００３２】
図３は、本発明に係る個人向けホームショッピング放送システムが保存および実行を行うプログラムの例示的なブロック図である。
【００３３】
図３を参照すれば、プログラム１５０は、第１インストラクション１５０−１〜第３インストラクション１５０−３を有する。プログラム１５０は、第４インストラクション１５０−４〜第７インストラクション１５０−７の少なくとも一つをさらに有することができる。また、第１インストラクション１５０−１は、第１サブインストラクション１５０−１−１〜第４サブインストラクション１５０−１−４を有することができる。また、第３インストラクション１５０−３は、第５サブインストラクション１５０−３−１を有することができ、第５インストラクション１５０−５は、第６サブインストラクション１５０−５−１を有することができる。
【００３４】
第１インストラクション１５０−１は、ホームショッピングチャンネルを受信して提供する第１受信機２００−１〜第ｎ受信機２００−ｎから受信したホームショッピングチャンネルに対する視聴履歴を基に、予め指定された第１商品分類〜第ｋ商品分類（但し、ｋは２以上の自然数）を有する商品分類基準の中から、第１受信機２００−１に対する商品分類グループ乃至第ｎ受信機２００−ｎに対する商品分類グループを各々抽出する。
【００３５】
図４は、本発明に係る個人向けホームショッピング放送システムで使用されるホームショッピングチャンネルに対する視聴履歴を例示的に示す図面である。
【００３６】
図４を参照すれば、視聴履歴は第１受信機２００−１から受信された第１視聴内訳、乃至第ｎ受信機２００−ｎから受信された第ｎ視聴履歴を有することができる。
【００３７】
例えば、ホームショッピングチャンネルがチャンネル５３番に指定された場合、第１受信機２００−１の第１視聴履歴は、第１受信機２００−１でチャンネル５３番を選択するユーザ入力が入力された時刻、およびチャンネル５３番から離脱するユーザ入力が入力された時刻を有することができる。チャンネル５３番から離脱するユーザ入力は、受信機の電源を終了するユーザ入力も有することができる。または、チャンネル５３番から離脱するユーザ入力が入力された時刻の代わりに、チャンネル５３番から離脱するユーザ入力が入力された時刻と、チャンネル５３番を選択するユーザ入力が入力された時刻の差値、即ち、持続時間を有することもできる。
【００３８】
個人向けホームショッピング放送システム１００は、例えば第１受信機２００−１〜第ｎ受信機２００−ｎから各々第１視聴履歴〜第ｎ視聴履歴を受信することができる。
【００３９】
図５は、本発明に係る個人向けホームショッピング放送システムで使用される商品分類基準を例示的に示す図面である。
【００４０】
図５を参照すれば、商品分類基準は階層的に設定され、例えば、「生活／キッチン」〜「食品／健康」と表示された第１階層と、第１階層に従属的な第２階層、例えば「生活／キッチン」階層に対する「インテリア」〜「寝具」と表示された第２階層と、第２階層に従属的な第３階層、例えば「寝具」階層に対する「ふとん」〜「マットレス」と表示された第３階層で構成され得る。
【００４１】
第１商品分類〜第ｋ商品分類は、例えば第１階層に係る商品分類である。しかし、第１商品分類〜第ｋ商品分類は、例えば第２階層に係る商品分類でもあり、第３階層に係る商品分類でもある。即ち、商品分類基準の商品分類の個数ｋ個は、第１階層に係る商品分類の個数でもあり、第２階層に係る商品分類の個数でもあり、第３階層に係る商品分類の個数でもある。どの階層を使用するかは、個人向けホームショッピング放送システム１００の管理者によって適宜決定され得る。
【００４２】
図６は、本発明に係る個人向けホームショッピング放送システムにより抽出された受信機に対する商品分類グループを例示的に示す図面である。
【００４３】
図６を参照すれば、例えば、第１受信機２００−１に対する商品分類グループは第１商品分類と第２商品分類とを有し、第２受信機（２００−２）に対する商品分類グループは第２商品分類を有し、同様に第ｎ受信機２００−ｎに対する商品分類グループは第１商品分類と第２商品分類と第ｋ商品分類とを有することができる。第１受信機２００−１に対する商品分類グループ、乃至第ｎ受信機２００−ｎに対する商品分類グループ各々は、第１商品分類〜第ｋ商品分類の少なくとも一つを有することができる。
【００４４】
第１受信機２００−１に対する商品分類グループ、乃至第ｎ受信機２００−ｎに対する商品分類グループを抽出する過程について、より詳細に説明すると、以下のとおりになる。
【００４５】
上述したとおり、視聴履歴は、第１受信機２００−１から受信された第１視聴内訳、乃至第ｎ受信機２００−ｎから受信された第ｎ視聴履歴を有する。例えば、第１受信機２００−１〜第ｎ受信機２００−ｎのうち第ｉ受信機（但し、ｉは１以上、ｎ以下の自然数）に対する商品分類グループを抽出する過程を説明する。
【００４６】
第１インストラクション１５０−１は、第１サブインストラクション１５０−１−１〜第４サブインストラクション１５０−１−４を有することができる。
【００４７】
第１サブインストラクション１５０−１−１は、第ｉ受信機から受信した第ｉ視聴内訳を分析し、予め指定された期間中、第１商品分類に属する商品が第ｉ受信機よりユーザ入力を基にホームショッピングチャンネルが選択された時点から、ホームショッピングチャンネルを通じて第ｉ受信機から第１閾値以上提供された第１基準回数、乃至第ｋ商品分類に属する商品が第ｉ受信機よりユーザ入力を基にホームショッピングチャンネルが選択された時点から、ホームショッピングチャンネルを通じて第ｉ受信機から第１閾値以上提供された第ｋ基準回数を決定し、上述の予め指定された期間中、第１商品分類に属する商品が第ｉ受信機よりユーザ入力を基にホームショッピングチャンネルが選択された時点から、ホームショッピングチャンネルを通じて第ｉ受信機から第１閾値以上で第２閾値以下の時間の間提供された第１返送回数、乃至第ｋ商品分類に属する商品が第ｉ受信機よりユーザ入力を基にホームショッピングチャンネルが選択された時点から、ホームショッピングチャンネルを通じて第ｉ受信機から第１閾値以上で第２閾値以下の時間の間提供された第ｋ返送回数を各々決定する。
【００４８】
予め指定された期間は、例えば一日、一週間および一ヶ月などの期間に設定され得る。
【００４９】
第１閾値は、第１受信機２００−１〜第ｎ受信機２００−ｎがホームショッピングチャンネルを選択するユーザ入力を受信した後、信号処理して提供するまでの遅延時間を考慮して決定される値である。例えば、第１受信機２００−１がホームショッピングチャンネル、例えばチャンネル５３番を選択するユーザ入力を受信した後、チャンネル５３番を信号処理して提供するまで所定の時間が所要され得る。また、視聴者がホームショッピングチャンネルを選択するために、チャンネル番号ではなくチャンネルアップボタンを押すことによってチャンネルを変更することもできる。第１閾値はこのような時間を考慮して決定される。例えば、第１閾値は３秒である。
【００５０】
第２閾値は、視聴者がホームショッピングチャンネルを選択した後、その内容を確認して継続して視聴するか、または他のチャンネルを視聴するかを決定するまでの所要時間を意味する。即ち、第２閾値は、チャンネルザッピング（ｚａｐｐｉｎｇ）を排除しつつ、視聴者がホームショッピングチャンネルを継続して視聴するかを選択するまで所要される時間を意味する。第２閾値は、例えば３０秒である。
【００５１】
第１基準回数〜第ｋ基準回数および第１返送回数〜第ｋ返送回数は、第１受信機２００−１〜第ｎ受信機２００−ｎにて視聴者がホームショッピングチャンネルに切り替えた時点に当該商品が放送されている場合を基準として決定され得る。即ち、視聴者がチャンネル転換なしでホームショッピングチャンネルを継続して視聴している場合、またはホームショッピングチャンネルが選択された時点で商品ではなく広告が提供される場合は、第１基準回数〜第ｋ基準回数、および第１返送回数〜第ｋ返送回数を決定することから除外することが望ましい。
【００５２】
第２サブインストラクション（１５０−１−２）は、第１返送回数対第１基準回数の割合である第１商品分類に対する第１返送率乃至第ｋ返送回数対第ｋ基準回数の割合である第ｋ商品分類に対する第ｋ返送率を各々決定する。
【００５３】
第１返送率は、第ｉ受信機の視聴者が第１商品分類に属する商品に対する関心度を類推するために使用される。即ち、第１返送率が低ければ、第ｉ受信機の視聴者は、第１商品分類に属する商品に対しては関心度が高いことを意味することになる。逆に第１返送率が高ければ、第ｉ受信機の視聴者は、第１商品分類に属する商品に対しては関心度が低いことを意味することになる。
【００５４】
第３サブインストラクション（１５０−１−３）は、第ｉ視聴履歴を分析し、上述の予め指定された期間中、第ｉ受信機からホームショッピングチャンネルを通じて第１商品分類に属する商品が提供された第１平均視聴時間、乃至上述の予め指定された期間中、第ｉ受信機からホームショッピングチャンネルを通じて第ｋ商品分類に属する商品が提供された第ｋ平均視聴時間を各々算出する。
【００５５】
第４サブインストラクション１５０−１−４は、第１平均時間および第１返送率を基に抽出された第１商品分類に対する関心指数、乃至第ｋ返送率を基に抽出された第ｋ商品分類に対する関心指数を予め指定された閾値と比較して、第１商品分類〜第ｋ商品分類のうち閾値以上の関心指数を持つ商品分類を第ｉ受信機に対する商品分類グループに指定する。
【００５６】
第ｊ商品分類（但し、ｊは１以上ｋ以下の自然数）に対する関心指数は、例えば第１加重値と正規化された第ｊ平均視聴時間を乗じた値から、第２加重値と正規化された第ｊ返送率を乗じた値を減算した値に決定され得る。
【００５７】
正規化された第ｊ平均視聴時間は、例えば１〜１００の間の値を有することができ、正規化された第ｊ返送率は、例えば１〜１００の間の値を有することができる。
【００５８】
第１加重値および第２加重値は正数であり、第１加重値と第２加重値との合計は１である。第１加重値が０．８、第２加重値が０．２、閾値が５０、正規化された第ｊ平均視聴時間が８０、正規化された返送率が６０であれば、第１加重値と正規化された第ｊ平均視聴時間とを乗じた値から、第２加重値と正規化された第ｊ返送率とを乗じた値を減算した値は５２となり閾値より高い。この場合、第ｊ商品分類は、第ｉ受信機に対する商品分類グループに含まれる。
【００５９】
上述の第１サブインストラクション１５０−１−１〜第４サブインストラクション１５０−１−４を、ｉ、ｊを適宜変更して行うことにより、第１受信機２００−１に対する商品分類グループ、乃至、第ｎ受信機２００−ｎに対する商品分類グループを抽出することができる。
【００６０】
第２インストラクション１５０−２は、放送編成表に従って、予め指定された時間帯域にホームショッピングチャンネルを通じて提供可能な基本商品に対する基本コンテンツを指定する。即ち、個人向けホームショッピング放送システム１００の放送政策に従って編成された放送編成表に従い、例えば２０１７年１２月１７日午後８時から午後８時３０分までの時間帯域に放送される予定の基本商品に対する基本コンテンツが指定される。
【００６１】
第３インストラクション１５０−３は、複数のコンテンツのうち、上述の予め指定された時間帯域に、例えば２０１７年１２月１７日午後８時から午後８時３０分までの時間帯域に、ホームショッピングチャンネルを通じて提供可能な第１商品に対する第１個人向けコンテンツを動的に選択する。第１個人向けコンテンツを動的に選択する場合、第１受信機２００−１に対する商品分類グループ、乃至第ｎ受信機２００−ｎに対する商品分類グループの中から、基本商品の商品分類および第１商品の商品分類の少なくとも一つを有する商品分類グループの個数が最大になるように、第１個人向けコンテンツを動的に選択する。
【００６２】
基本商品および第１商品は、第１商品分類〜第ｋ商品分類のうち互いに異なる商品分類基準に属することが望ましい。即ち、基本商品と第１商品とが同じ商品分類に属すると、第１受信機２００−１〜第ｎ受信機２００−ｎの視聴者のうち、基本商品とは第１商品全体に対して関心のない視聴者がさらに多くなるためである。
【００６３】
第３インストラクション１５０−３は、第５サブインストラクション１５０−３−１を有することができる。
【００６４】
第５サブインストラクション１５０−３−１は、第１商品分類に対する平均売上額情報、乃至第ｋ商品分類に対する平均売上額情報を基に、第１受信機２００−１に対する予想売上額、乃至第ｎ受信機２００−ｎに対する予想売上額の合計が最大になるように、第１個人向けコンテンツを選択する。
【００６５】
例えば複数のコンテンツのうち、第１受信機２００−１に対する商品分類グループ、乃至第ｎ受信機２００−ｎに対する商品分類グループの中から、基本商品の商品分類および第１商品の商品分類の少なくとも一つを有する商品分類グループの個数が最大になるコンテンツが多数ある場合、予想売上額を基準として第１個人向けコンテンツを選択することができる。
【００６６】
第ｉ受信機に対する予想売上額は、第ｉ受信機に対する商品分類グループが基本商品の商品分類を含まず、第１商品の商品分類を含めば、第１商品の商品分類に対する平均売上額に決定され、第ｉ受信機に対する商品分類グループが第１商品の前記商品分類を含まなければ、基本商品の商品分類に対する平均売上額に決定され得る。
【００６７】
プログラム１５０は、第４インストラクション１５０−４をさらに有することができる。
【００６８】
第４インストラクション１５０−４は、基本コンテンツおよび第１個人向けコンテンツを全て第１受信機２００−１〜第ｎ受信機２００−ｎへ伝送する第１伝送モード、第１受信機２００−１に対する商品分類グループ、乃至第ｎ受信機２００−ｎに対する商品分類グループを基に、基本コンテンツおよび第１個人向けコンテンツのうち、第１受信機２００−１〜第ｎ受信機２００−ｎへ各々伝送するコンテンツを選択して、第１受信機２００−１〜第ｎ受信機２００−ｎへ各々伝送する第２伝送モード、および第１受信機２００−１〜第ｎ受信機２００−ｎの少なくとも一つの受信機からの要請に従って、基本コンテンツおよび第１個人向けコンテンツのいずれか一つを当該受信機へ伝送する第３伝送モードのいずれか一つを行う。
【００６９】
例えば、第１伝送モードは、ホームショッピングチャンネルを通じて基本コンテンツおよび第１個人向けコンテンツを全て伝送することであり、従来の放送システムでホームショッピングチャンネルに指定されたチャンネル番号を通じて、多重化方式で基本コンテンツおよび第１個人向けコンテンツを全て第１受信機２００−１〜第ｎ受信機２００−ｎへ伝送することである。
【００７０】
例えば、第２伝送モードは、第１受信機２００−１〜第ｎ受信機２００−ｎのうち第ｉ受信機（但し、ｉは１以上、ｎ以下の自然数）に対する商品分類グループが基本商品の商品分類を含まず、第１商品の商品分類を含めば、第１個人向けコンテンツを第ｉ受信機へ伝送し、その他の場合、基本コンテンツを第ｉ受信機へ伝送することである。即ち、第２伝送モードによれば、第１受信機２００−１の商品分類グループが基本商品の商品分類を含まず、第１商品の商品分類だけを含むのであれば、第１個人向けコンテンツが第１受信機２００−１へ伝送される。
【００７１】
例えば、第３伝送モードは、第１受信機２００−１〜第ｎ受信機２００−ｎの少なくとも一つの受信機、例えば、第ｉ受信機から基本コンテンツおよび第１個人向けコンテンツのいずれか一つを伝送せよという要請を受信して、当該要請に従って基本コンテンツおよび第１個人向けコンテンツのいずれか一つを第ｉ受信機へ伝送する。
【００７２】
例えば、第１受信機２００−１の第１受信機から第１個人向けコンテンツを伝送せよという要請を受信すれば、個人向けホームショッピング放送システム１００は、第３伝送モードを通じて第１個人向けコンテンツを第１受信機へ伝送することができる。
【００７３】
＜第二の実施例＞
上述した第一の実施例は、個人向けホームショッピング放送システム１００が基本コンテンツおよび第１個人向けコンテンツの少なくとも一つを第１受信機２００−１〜第ｎ受信機２００−ｎへ伝送する構成を基に説明された。
【００７４】
しかし、第１受信機２００−１〜第ｎ受信機２００−ｎへ伝送可能な個人向けコンテンツの個数は１個、即ち、第１個人向けコンテンツに限定されない。
【００７５】
本発明の第二の実施例によれば、プログラム１５０は、第５インストラクション１５０−５をさらに有することができる。
【００７６】
第５インストラクション１５０−５は、複数のコンテンツのうち、上述の予め指定された時間帯域にホームショッピングチャンネルを通じて提供可能な第２商品に対する第２個人向けコンテンツ、乃至第ｍ商品に対する第ｍ個人向けコンテンツ（但し、ｍは２以上の自然数）を動的に選択する。第２個人向けコンテンツ〜第ｍ個人向けコンテンツを動的に選択する場合、第１受信機２００−１に対する商品分類グループ、乃至第ｎ受信機２００−ｎに対する商品分類グループの中から、第１商品の商品分類、第２商品の商品分類〜第ｍ商品に対する商品分類および基本商品の商品分類の少なくとも一つを有する商品分類グループの個数が最大になるように、第２個人向けコンテンツ〜第ｍ個人向けコンテンツを動的に選択する。
【００７７】
基本商品と第１商品と第２商品〜第ｍ商品とは、第１商品分類〜第ｋ商品分類のうち互いに異なる商品分類基準に属することが望ましい。即ち、基本商品と第１商品と第２商品〜第ｍ商品との少なくとも２個が同じ商品分類に属すれば、第１受信機２００−１〜第ｎ受信機２００−ｎの視聴者のうち基本商品と第１商品と第２商品〜第ｍ商品との全てに対して関心のない視聴者がさらに多くなるためである。
【００７８】
第５インストラクション１５０−５は、第６サブインストラクション１５０−５−１を有することができる。
【００７９】
第６サブインストラクション１５０−５−１は、第１商品分類に対する平均売上額情報、乃至第ｋ商品分類に対する平均売上額情報を基に、第１受信機２００−１に対する予想売上額、乃至第ｎ受信機２００−ｎに対する予想売上額の合計が最大になるように、第２個人向けコンテンツ〜第ｍ個人向けコンテンツを選択する。
【００８０】
第ｉ受信機（但し、ｉは１以上、ｎ以下の自然数）に対する予想売上額は、第ｉ受信機に対する商品分類グループが基本商品の商品分類を含まず、第１商品の前記商品分類を含めば、第１商品の商品分類に対する平均売上額に決定され、第ｉ受信機に対する商品分類グループが基本商品の商品分類を含まず、第１商品の商品分類〜第ｐ−１商品（但し、ｐは２以上ｍ以下の自然数）の商品分類を含まず、第ｐ商品分類を含めば、第ｐ商品の商品分類に対する平均売上額に決定され、その他の場合、基本商品の商品分類に対する平均売上額に決定され得る。
【００８１】
第１受信機２００−１に対する商品分類グループ、乃至第ｎ受信機２００−ｎに対する商品分類グループのうち、第ｐ−１商品の商品分類を含む商品分類グループの個数は、第ｐ商品の商品分類を含む商品分類グループの個数より大きいことが望ましい。
【００８２】
例えば、ｍが３である場合、第１受信機２００−１に対する商品分類グループ、乃至第ｎ受信機２００−ｎに対する商品分類グループのうち、第１商品の商品分類を含む商品分類グループの個数は、第２商品の商品分類を含む商品分類グループの個数より大きく、第２商品の商品分類を含む商品分類グループの個数は、第３商品の商品分類を含む商品分類グループの個数より大きい。
【００８３】
上述したとおり、プログラム１５０は、第６インストラクション１５０−６をさらに有することができる。
【００８４】
第６インストラクション１５０−６は、第１個人向けコンテンツ、第２個人向けコンテンツ〜第ｍ個人向けコンテンツおよび基本コンテンツを全て第１受信機２００−１〜第ｎ受信機２００−ｎへ伝送する第４伝送モード、第１受信機２００−１に対する商品分類グループ、乃至第ｎ受信機２００−ｎに対する商品分類グループを基に、第１個人向けコンテンツ、第２個人向けコンテンツ〜第ｍ個人向けコンテンツおよび基本コンテンツのうち、第１受信機２００−１〜第ｎ受信機２００−ｎへ各々伝送するコンテンツを選択して、第１受信機２００−１〜第ｎ受信機２００−ｎへ各々伝送する第５伝送モードおよび第１受信機２００−１〜第ｎ受信機２００−ｎの少なくとも一つの受信機、例えば第ｉ受信機（但し、ｉは１以上、ｎ以下の自然数）からの要請に従って、第１個人向けコンテンツ、第２個人向けコンテンツ〜第ｍ個人向けコンテンツ及び基本コンテンツのいずれか一つを第ｉ受信機へ伝送する第６伝送モードのいずれか一つを行う。
【００８５】
例えば、ｍが３である場合、第４伝送モードは、ホームショッピングチャンネルを通じて基本コンテンツ、第１個人向けコンテンツ、第２個人向けコンテンツおよび第３コンテンツを全て伝送することで、従来の放送システムでホームショッピングチャンネルに指定されたチャンネル番号を通じて、基本コンテンツ、第１個人向けコンテンツ、第２個人向けコンテンツおよび第３個人向けコンテンツを全て第１受信機２００−１〜第ｎ受信機２００−ｎへ伝送することである。
【００８６】
図７は、本発明に係る個人向けホームショッピング放送システムにおいて、受信機より個人向けコンテンツを選択する状態を例示的に示す図面である。
【００８７】
第１受信機２００−１は、視聴者からホームショッピングチャンネルを選択するユーザ入力を受信する。例えば、第１受信機２００−１に対する商品分類グループが第１商品に対する商品分類を含み、基本商品に対する商品分類を含まない場合、第１受信機２００−１は、個人向けホームショッピング放送システム１００から伝送される基本コンテンツ、第１個人向けコンテンツ、第２個人向けコンテンツおよび第３個人向けコンテンツのうち、第１個人向けコンテンツを信号処理してユーザに提供することができる。
【００８８】
例えば、ｍが３である場合、第５伝送モードは、第１受信機２００−１〜第ｎ受信機２００−ｎのうち第ｉ受信機（但し、ｉは１以上、ｎ以下の自然数）に対する商品分類グループが基本商品の商品分類を含まず、第１商品の商品分類を含めば、第１個人向けコンテンツを第ｉ受信機へ伝送し、基本商品の商品分類を含まず、第１商品の商品分類を含まず、第２商品の商品分類を含めば、第２個人向けコンテンツを第ｉ受信機へ伝送し、基本商品の商品分類を含まず、第１商品の商品分類〜第２商品の商品分類を含まず、第３商品の商品分類を含めば、第３個人向けコンテンツを第ｉ受信機へ伝送し、その他の場合、即ち第ｉ受信機（但し、ｉは１以上、ｎ以下の自然数）に対する商品分類グループが基本商品の商品分類を含むか、または基本商品の分類、第１商品の商品分類〜第３商品の商品分類を全て含まないのであれば、基本コンテンツを第ｉ受信機へ伝送する。
【００８９】
第５伝送モードを用いる場合、基本コンテンツ、第１個人向けコンテンツ〜第ｍ個人向けコンテンツの少なくとも一つは、マルチキャスト方式またはユニキャスト方式を用いて、第１受信機２００−１〜第ｎ受信機２００−ｎの少なくとも一つに伝送され得る。
【００９０】
従って、ｍの個数は、第４伝送モードの場合よりより大きくてもよい。例えばｍが１０００なら、予め指定された１０００個の個人向けコンテンツの少なくとも一つは、第１受信機２００−１〜第ｎ受信機２００−ｎの少なくとも一つに伝送され得る。
【００９１】
従って、第１受信機２００−１〜第ｎ受信機２００−ｎ各々の視聴者に対して、より個人向けされたホームショッピングコンテンツを伝送することができる。
【００９２】
図８は、本発明に係る個人向けホームショッピング放送システムにより受信機に対する個人向けコンテンツを選択して、伝送する状態を例示的に示す図面である。
【００９３】
即ち、第５伝送モードによれば、第１受信機２００−１の商品分類グループが基本商品の商品分類を含まず、第１商品の商品分類のみを含むのであれば、第１受信機２００−１へは第１個人向けコンテンツが伝送される。第２受信機２００−２の商品分類グループが基本商品の商品分類を含まず、第１商品の商品分類を含まず、第２商品の商品分類のみを含むのであれば、第２受信機２００−２へは第２個人向けコンテンツが伝送される。第ｎ受信機２００−ｎの商品分類グループが第１商品の商品分類を含まず、第２商品の商品分類を含まないのであれば、第ｎ受信機２００−ｎへは基本コンテンツが伝送される。
【００９４】
例えば、第６伝送モードは、第１受信機２００−１〜第ｎ受信機２００−ｎの少なくとも一つの受信機から第１個人向けコンテンツ〜第３個人向けコンテンツおよび基本コンテンツのいずれか一つを伝送せよという要請を受信して、当該要請に従って、第１個人向けコンテンツ〜第３個人向けコンテンツおよび基本コンテンツのいずれか一つを当該受信機へ伝送する。
【００９５】
図９は、本発明に係る個人向けホームショッピング放送システムにより受信機の要請に従って、個人向けコンテンツを伝送する状態を例示的に示す図面である。
【００９６】
例えば、第１受信機２００−１から第１個人向けコンテンツを伝送せよという要請を受信すれば、個人向けホームショッピング放送システム１００は、第６伝送モードを通じて第１個人向けコンテンツを第１受信機２００−１へ伝送することができる。
【００９７】
第６伝送モードを用いる場合、基本コンテンツ、第１個人向けコンテンツ〜第ｍ個人向けコンテンツの少なくとも一つは、例えばＶＯＤ方式で第１受信機２００−１〜第ｎ受信機２００−ｎの少なくとも一つへ各々伝送することができる。
【００９８】
従って、ｍの個数は、第４伝送モードの場合より、より大きくても良い。例えば、ｍが１０００なら、予め指定された１０００個の個人向けコンテンツの少なくとも一つは、第１受信機２００−１〜第ｎ受信機２００−ｎの少なくとも一つの受信機へＶＯＤ方式を用いて伝送され得る。
【００９９】
＜第三の実施例＞
上述したとおり、プログラム１５０は、第７インストラクション１５０−７をさらに有することができる。
【０１００】
第７インストラクション１５０−７は、第１受信機２００−１〜第ｎ受信機２００−ｎへ、第１受信機２００−１に対する商品分類グループに対する識別情報〜第ｎ受信機２００−ｎに対する商品分類グループに対する識別情報を各々伝送する。
【０１０１】
例えば、第１受信機２００−１は、自身に対する商品分類グループに対する識別情報を受信した後、これを基に、図７を参照して説明したとおり、コンテンツを選択して信号処理することができる。
【０１０２】
第１受信機２００−１に対する商品分類グループが第１商品の商品分類を含み、基本商品の商品分類を含まないのであれば、例えば第１受信機２００−１は、第１伝送モードを通じて伝送される基本コンテンツおよび第１個人向けコンテンツのうち、第１個人向けコンテンツを選択して、信号処理した後、視聴者に提供することができる。
【０１０３】
以上説明したとおり、本発明の実施例によれば、視聴者のホームショッピングチャンネルに対する視聴履歴を用いて特定視聴者に適合したホームショッピングコンテンツを動的に選択して提供することができる。特に本発明によって、定義された返送率を基に産出された関心指数を用いて各々の受信機に対して商品分類グループを指定して、商品分類グループを用いてホームショッピングコンテンツを動的に選択して提供することができるため、より多数の視聴者が関心のあるホームショッピングコンテンツを提供することができる。
【０１０４】
以上本発明の構成を具体的に説明したが、これは単に本発明を例示的に説明したに過ぎず、本発明が属する技術分野において通常の知識を有する者であれば、本発明の本質的な特性から脱しない範囲内で様々な変形が可能である。
【０１０５】
従って、本明細書に開示されている実施例は、本発明を限定するためのものではなく、説明するためのものであり、このような実施例によって本発明の思想および範囲が限定されるものではない。本発明の範囲は、特許請求の範囲によって解釈されるべきであり、それと均等な範囲内にある全ての技術は、本発明の権利範囲に含まれるものとして解釈されるべきである。
【産業上の利用可能性】
【０１０６】
本発明によれば、視聴者のホームショッピングチャンネルに対する視聴履歴を用いて特定視聴者に適合したホームショッピングコンテンツを動的に選択して提供することができる。特に本発明によって、定義された返送率を基に産出された関心指数を用いて各々の受信機に対して商品分類グループを指定して、商品分類グループを用いてホームショッピングコンテンツを動的に選択して提供することができるため、より多数の視聴者が関心のあるホームショッピングコンテンツを提供することができる。
【符号の説明】
【０１０７】
１００  個人向けホームショッピング放送システム
１１０  プロセッサ
１３０  メモリ
１５０  プログラム
２００  受信機
【図１】
2021508192.tif 000003
【図２】
2021508192.tif 000004
【図３】
2021508192.tif 000005
【図４】
2021508192.tif 000006
【図５】
2021508192.tif 000007
【図６】
2021508192.tif 000008
【図７】
2021508192.tif 000009
【図８】
2021508192.tif 000010
【図９】
2021508192.tif 000011
【国際調査報告】
2021508192.tif 000012
2021508192.tif 000013
2021508192.tif 000014
2021508192.tif 000015